(57)【要約】  本発明は、乗り物のウインドシールドの広範囲に渡って画像を視認可能としながら、乗り物の製造コスト増大を防ぎ、かつ、乗り物の燃費を改善することのできる投写型表示装置と投写制御方法を提供する。  ウインドシールド（５）を有する建設機械（１００）に搭載される投写型表示装置は、ウインドシールド（５）の第一の投写範囲（５Ａ）でバケット（２２）を検知した場合、第一の投写範囲（５Ａ）に画像光を投写し、第二の投写範囲（５Ｂ）と第三の投写範囲（５Ｃ）への画像光の投写を停止する第一の制御を行う。また、投写型表示装置は、ウインドシールド（５）の第一の投写範囲（５Ａ）と第二の投写範囲（５Ｂ）の重なる位置でバケット（２２）を検知した場合、第一の投写範囲（５Ａ）と第二の投写範囲（５Ｂ）にそれぞれ画像光を投写し、第三の投写範囲（５Ｃ）への画像光の投写を停止する第二の制御を行う。
2017051655.tif 000002
【特許請求の範囲】
【請求項１】
光源から出射される光を画像情報に基づいて空間変調し、空間変調された画像光を乗り物の投写面に投写可能な複数の投写表示ユニットを有する投写型表示装置であって、  前記複数の投写表示ユニットの各々による画像光の投写範囲は一方向に並び、かつ、前記一方向において隣り合う２つの投写範囲の一方の投写範囲における前記一方向の一端は前記２つの投写範囲の他方の投写範囲と重複しており、  前記投写面前方の物体の前記投写面における位置を検知する物体位置検知部と、  前記複数の投写表示ユニットの各々について、前記画像光を投写させる第一の状態と前記画像光の投写を停止する第二の状態とのいずれかの状態に制御するユニット制御部と、を備え、  前記ユニット制御部は、前記物体位置検知部により検知された第一の物体の前記一方向での位置に基づいて、前記複数の投写表示ユニットの各々を前記第一の状態と前記第二の状態のいずれかに制御する投写型表示装置。
【請求項２】
請求項１記載の投写型表示装置であって、  前記ユニット制御部は、前記複数の投写表示ユニットの各々による画像光の投写範囲のうちの任意の投写範囲である第一の投写範囲と前記物体位置検知部により検知された第一の物体の全体とが重なる状態において、前記第一の投写範囲における前記第一の物体の前記一方向の位置に基づき、第一の制御と第二の制御のいずれかを選択的に行い、  前記第一の制御は、前記第一の投写範囲に画像光を投写可能な第一の投写表示ユニットを前記第一の状態に制御し、前記第一の投写表示ユニット以外の投写表示ユニットを前記第二の状態に制御するものであり  前記第二の制御は、前記第一の投写表示ユニット及び前記第一の投写範囲の隣の投写範囲に画像光を投写可能な第二の投写表示ユニットを前記第一の状態に制御し、前記第一の投写表示ユニット及び前記第二の投写表示ユニット以外の投写表示ユニットを前記第二の状態に制御するものである投写型表示装置。
【請求項３】
請求項２記載の投写型表示装置であって、  前記ユニット制御部は、前記第一の投写範囲における前記一方向の端から予め決められた距離までの範囲と前記第一の物体とが重なる場合には、前記第一の投写範囲の前記第一の物体に近い側の隣にある投写範囲に画像光を投写可能な投写表示ユニットを前記第二の投写表示ユニットとして前記第二の制御を行い、前記第一の物体が前記範囲の外側にある場合には前記第一の制御を行う投写型表示装置。
【請求項４】
請求項１〜３のいずれか１項記載の投写型表示装置であって、  前記一方向において隣り合う２つの投写範囲の一方の投写範囲における前記一方向の一端は前記２つの投写範囲の他方の投写範囲の前記一方向の一端と接している投写型表示装置。
【請求項５】
請求項１〜３のいずれか１項記載の投写型表示装置であって、  前記一方向において隣り合う２つの投写範囲は前記一方向において端部同士が重なっている投写型表示装置。
【請求項６】
請求項１〜５のいずれか１項記載の投写型表示装置であって、  前記ユニット制御部は、前記物体位置検知部により前記第一の物体とは異なる第二の物体の位置が検知され、前記第二の状態に制御している投写表示ユニットによる画像光の投写範囲に前記第二の物体が入っている場合には、当該投写表示ユニットを前記第一の状態に制御する投写型表示装置。
【請求項７】
請求項６記載の投写型表示装置であって、  前記物体位置検知部は、撮像素子により前記投写面を撮像して得られる撮像画像データに基づいて物体の位置を検知する投写型表示装置。
【請求項８】
請求項１〜７のいずれか１項記載の投写型表示装置であって、  前記一方向は重力方向である投写型表示装置。
【請求項９】
請求項１〜８のいずれか１項記載の投写型表示装置であって、  前記乗り物は建設機械である投写型表示装置。
【請求項１０】
請求項９記載の投写型表示装置であって、  前記建設機械は、前記一方向に移動可能な可動部により建設作業を行うものであり、  前記物体位置検知部は、前記第一の物体の位置として前記可動部の位置を検知する投写型表示装置。
【請求項１１】
請求項１０記載の投写型表示装置であって、  前記可動部は、バケットである投写型表示装置。
【請求項１２】
光源から出射される光を画像情報に基づいて空間変調し、空間変調された画像光を乗り物の投写面に投写可能な複数の投写表示ユニットを用いた投写制御方法であって、  前記複数の投写表示ユニットの各々による画像光の投写範囲は一方向に並び、かつ、前記一方向において隣り合う２つの投写範囲の一方の投写範囲における前記一方向の一端は前記２つの投写範囲の他方の投写範囲と重複しており、  前記投写面前方の物体の前記投写面における位置を検知する物体位置検知ステップと、  前記複数の投写表示ユニットの各々について、前記画像光を投写させる第一の状態と前記画像光の投写を停止する第二の状態とのいずれかの状態に制御するユニット制御ステップと、を備え、  前記ユニット制御ステップでは、前記物体位置検知ステップにより検知された第一の物体の前記一方向での位置に基づいて、前記複数の投写表示ユニットの各々を前記第一の状態と前記第二の状態のいずれかに制御する投写制御方法。
【請求項１３】
請求項１２記載の投写制御方法であって、  前記ユニット制御ステップは、前記複数の投写表示ユニットの各々による画像光の投写範囲のうちの任意の投写範囲である第一の投写範囲と前記物体位置検知ステップにより検知された第一の物体の全体とが重なる状態において、前記第一の投写範囲における前記第一の物体の前記一方向の位置に基づき、第一の制御と第二の制御のいずれかを選択的に行い、  前記第一の制御は、前記第一の投写範囲に画像光を投写可能な第一の投写表示ユニットを前記第一の状態に制御し、前記第一の投写表示ユニット以外の投写表示ユニットを前記第二の状態に制御するものであり、  前記第二の制御は、前記第一の投写表示ユニット及び前記第一の投写範囲の隣の投写範囲のうちの一方の投写範囲に画像光を投写可能な第二の投写表示ユニットを前記第一の状態に制御し前記第一の投写表示ユニット及び前記第二の投写表示ユニット以外の投写表示ユニットを前記第二の状態に制御するものである投写制御方法。
【請求項１４】
請求項１３記載の投写制御方法であって、  前記ユニット制御ステップは、前記第一の投写範囲における前記一方向の端から予め決められた距離までの範囲と前記第一の物体とが重なる場合には、前記第一の投写範囲の前記第一の物体に近い側隣にある投写範囲に画像光を投写可能な投写表示ユニットを前記第二の投写表示ユニットとして前記第二の制御を行い、前記第一の物体が前記範囲の外側にある場合には前記第一の制御を行う投写制御方法。
【請求項１５】
請求項１２〜１４のいずれか１項記載の投写制御方法であって、  前記一方向において隣り合う２つの投写範囲の一方の投写範囲における前記一方向の一端は前記２つの投写範囲の他方の投写範囲の前記一方向の一端と接している投写制御方法。
【請求項１６】
請求項１２〜１４のいずれか１項記載の投写制御方法であって、  前記一方向において隣り合う２つの投写範囲は前記一方向において端部同士が重なっている投写制御方法。
【請求項１７】
請求項１２〜１６のいずれか１項記載の投写制御方法であって、  前記ユニット制御ステップは、前記物体位置検知ステップにより前記第一の物体とは異なる第二の物体の位置が検知され、前記第二の状態に制御している投写表示ユニットによる画像光の投写範囲に前記第二の物体が入っている場合には、当該投写表示ユニットを前記第一の状態に制御する投写制御方法。
【請求項１８】
請求項１７記載の投写制御方法であって、  前記物体位置検知ステップは、撮像素子により前記投写面を撮像して得られる撮像画像データに基づいて物体の位置を検知する投写制御方法。
【請求項１９】
請求項１２〜１８のいずれか１項記載の投写制御方法であって、  前記一方向は重力方向である投写制御方法。
【請求項２０】
請求項１２〜１９のいずれか１項記載の投写制御方法であって、  前記乗り物は建設機械である投写制御方法。
【請求項２１】
請求項２０記載の投写制御方法であって、  前記建設機械は、前記一方向に移動可能な可動部により建設作業を行うものであり、  前記物体位置検知ステップは、前記第一の物体の位置として前記可動部の位置を検知する投写制御方法。
【請求項２２】
請求項２１記載の投写制御方法であって、  前記可動部は、バケットである投写制御方法。
【発明の詳細な説明】
【技術分野】
【０００１】  本発明は、投写型表示装置及び投写制御方法に関する。
【背景技術】
【０００２】  自動車や建設機械や農作機械を含む乗り物のウインドシールドや、ウインドシールドの手前付近に配置されるコンバイナをスクリーンとして用い、これに光を投写して画像を表示させる乗り物用のＨＵＤ（Ｈｅａｄ−ｕｐ  Ｄｉｓｐｌａｙ）が知られている。このＨＵＤによれば、利用者は、ＨＵＤから投写された光に基づく画像を、スクリーン上で実像として、又は、スクリーン前方において虚像として、運転者に視認させることができる。【０００３】  特許文献１には、建設機械用のＨＵＤが記載されている。このＨＵＤは、視線の高さが違う人間が乗っても虚像を安定して視認させることができるように、画像光の投写位置を可変としている。【０００４】  特許文献２には、建設機械用のＨＵＤが記載されている。このＨＵＤは、建設機械が高所作業に適した姿勢であることを検知した場合、ウインドシールドの上部に虚像を表示させ、建設機械が低所作業に適した姿勢であることを検知した場合、ウインドシールドの下部に虚像を表示させている。【０００５】  特許文献３には、建設機械のアーム位置等と操作者の視線とに基づいて投写位置を制御するＨＵＤが記載されている。このＨＵＤは、操作者の作業に必要とされる全視野をカバーするに充分な大きさを有する半透明球面反射鏡と、この半透明球面反射鏡に光を投写する投写方向が可変の投写部とを組み合わせることで、広範囲で虚像を視認できるようにしている。【０００６】  特許文献４には、画像光を投写する３つの投写部を用いて広範囲で虚像を視認させることのできる表示装置が記載されている。【０００７】  特許文献５には、画像光を投写する２つの投写部を用いて広範囲で虚像を視認させることのできる表示装置が記載されている。この２つの投写部の各々による画像光の投写範囲は一部重複するよう設定されている。
【先行技術文献】
【特許文献】
【０００８】
【特許文献１】特開２０１２−０７１８２５号公報
【特許文献２】特開２００９−１７３１９５号公報
【特許文献３】特開２００２−１４６８４６号公報
【特許文献４】特開２０１３−１４８９０１号公報
【特許文献５】特開２０１３−１３７３５５号公報
【発明の概要】
【発明が解決しようとする課題】
【０００９】  建設機械や農作機械等の作業用機械においては、自動車等の輸送を主目的とする乗り物とは違い、操作者の視線移動が特に縦方向において頻繁に行われる。また、輸送を主目的とする乗り物と違って操作者の縦方向における視線の移動範囲は広い。また、建設機械では、操作対象となるパワーショベルやバケットの動きに合わせて操作者の視線が動くことになる。このような事情から、操作席前方にウインドシールドがある作業用機械においては、このウインドシールドの広範囲にて虚像や実像等の画像を視認できるようにすることが好ましい。【００１０】  特許文献３に記載のＨＵＤによれば、広範囲で画像を視認可能となる。しかし、半透明球面反射鏡の光学設計は難しく、また、半透明球面反射鏡として大きいものを利用する必要がある、投写部による画像光の投写方向を可変にする機構が必要になる等の理由から、作業用機械の製造コストが高くなる。【００１１】  そこで、特許文献４及び特許文献５のように、複数の投写部を用いれば、作業用機械の製造コストを抑えることができる。作業用機械においては燃費をよくすることが重要であるが、投写部の数を増やすと、それだけ燃費への影響が懸念される。特許文献４及び特許文献５では、複数の投写部を用いる場合の燃費改善という課題については認識されていない。【００１２】  また、特許文献１及び特許文献２は、複数の投写部を用いることは想定されていない。【００１３】  ここでは作業用機械を例に説明したが、輸送を主目的とする自動車や航空機や船舶等の乗り物に搭載されるＨＵＤにおいても、広範囲にて画像を視認可能にする要求が高まる可能性がある。この場合は、上述したように複数の投写部を用いることが有効と考えられるため、作業用機械と同様に燃費への影響が懸念されるという課題が生じる。【００１４】  本発明は、上記事情に鑑みてなされたものであり、乗り物のウインドシールドの広範囲に渡って画像を視認可能としながら、乗り物の製造コスト増大を防ぎ、かつ、乗り物の燃費を改善することのできる投写型表示装置と投写制御方法を提供することを目的とする。
【課題を解決するための手段】
【００１５】  本発明の投写型表示装置は、光源から出射される光を画像情報に基づいて空間変調し、空間変調された画像光を乗り物の投写面に投写可能な複数の投写表示ユニットを有する投写型表示装置であって、上記複数の投写表示ユニットの各々による画像光の投写範囲は一方向に並び、かつ、上記一方向において隣り合う２つの投写範囲の一方の投写範囲における上記一方向の一端は上記２つの投写範囲の他方の投写範囲と重複しており、上記投写面前方の物体の上記投写面における位置を検知する物体位置検知部と、上記複数の投写表示ユニットの各々について、上記画像光を投写させる第一の状態と上記画像光の投写を停止する第二の状態とのいずれかの状態に制御するユニット制御部と、を備え、上記ユニット制御部は、上記物体位置検知部により検知された第一の物体の上記一方向での位置に基づいて、上記複数の投写表示ユニットの各々を上記第一の状態と上記第二の状態のいずれかに制御するものである。【００１６】  本発明の投写制御方法は、光源から出射される光を画像情報に基づいて空間変調し、空間変調された画像光を乗り物の投写面に投写可能な複数の投写表示ユニットを用いた投写制御方法であって、上記複数の投写表示ユニットの各々による画像光の投写範囲は一方向に並び、かつ、上記一方向において隣り合う２つの投写範囲の一方の投写範囲における上記一方向の一端は上記２つの投写範囲の他方の投写範囲と重複しており、上記投写面前方の物体の上記投写面における位置を検知する物体位置検知ステップと、上記複数の投写表示ユニットの各々について、上記画像光を投写させる第一の状態と上記画像光の投写を停止する第二の状態とのいずれかの状態に制御するユニット制御ステップと、を備え、上記ユニット制御ステップでは、上記物体位置検知ステップにより検知された第一の物体の上記一方向での位置に基づいて、上記複数の投写表示ユニットの各々を上記第一の状態と上記第二の状態のいずれかに制御するものである。
【発明の効果】
【００１７】  本発明によれば、乗り物のウインドシールドの広範囲に渡って画像を視認可能としながら、乗り物の製造コスト増大を防ぎ、かつ、乗り物の燃費を改善することのできる投写型表示装置と投写制御方法を提供することができる。
【図面の簡単な説明】
【００１８】
【図１】本発明の投写型表示装置の一実施形態であるＨＵＤ１０を搭載する建設機械１００の概略構成を示す模式図である。
【図２】図１に示す建設機械１００における運転室内の構成例を示す図である。
【図３】図１に示すＨＵＤ１０を構成するユニット２の内部構成を示す模式図である。
【図４】図１に示すＨＵＤ１０を構成するユニット３の内部構成を示す模式図である。
【図５】図１に示すＨＵＤ１０を構成するユニット４の内部構成を示す模式図である。
【図６】ウインドシールド５に設定された範囲５Ｄの状態遷移の一例を説明するための模式図である。
【図７】ウインドシールド５に設定された範囲５Ｄの状態遷移の別の例を説明するための模式図である。
【図８】ウインドシールド５に設定された範囲５Ｄの状態遷移の更に別の例を説明するための模式図である。
【図９】図１に示す建設機械１００の変形例である建設機械１００Ａの概略構成を示す模式図である。
【図１０】図１０に示す建設機械１００Ａに搭載されるＨＵＤ１０Ａのユニット２Ａの内部構成を示す模式図である。
【図１１】ＨＵＤ１０Ａによる範囲５Ｄの状態遷移の例を説明するための模式図である。
【発明を実施するための形態】
【００１９】  以下、本発明の実施形態について図面を参照して説明する。
【００２０】  図１は、本発明の投写型表示装置の一実施形態であるＨＵＤ１０を搭載する建設機械１００の概略構成を示す模式図である。
【００２１】  図１に示すＨＵＤ１０は、建設機械や農作機械等の作業用機械、自動車、電車、航空機、又は船舶等の乗り物に搭載して用いられる。
【００２２】  ＨＵＤ１０は、運転室内において運転席１の上方に配置されるユニット２と、運転室内において運転席１後方に配置されるユニット３と、運転室内において運転席１の座面下方に配置されるユニット４と、を備える。
【００２３】  ユニット２〜４は、建設機械１００の運転室内に、重力方向（図１の上下方向）に離間して設けられている。各ユニットは、建設機械１００のウインドシールド５の前方において虚像を視認可能な条件で画像光を投写する。
【００２４】  建設機械１００の操作者は、ウインドシールド５に投写され、ここで反射された画像光を見ることで、建設機械１００の操作を支援するための絵や文字等の情報を視認することができる。また、ウインドシールド５は、ユニット２〜４の各々から投写された画像光を反射すると同時に、外部（外界）からの光を透過する機能を持つ。このため、操作者は、ユニット２〜４の各々から投写された画像光に基づく虚像を外界の景色に重ねて視認することができる。
【００２５】  ＨＵＤ１０では、ユニット２〜４が、建設機械１００の運転室内に、重力方向に離間して設けられていることにより、ウインドシールド５の広範囲にわたり操作者に虚像を提示することができる。
【００２６】  図２は、図１に示す建設機械１００における運転室内の構成例を示す図である。図２は、ウインドシールド５を運転席１から見た正面図を示している。
【００２７】  建設機械１００は、機体前方中央部に、少なくとも一方向（以下では垂直方向とする）に移動可能な可動部としてのアーム２１及びバケット２２を備える油圧ショベルである。建設機械１００は、アーム２１及びバケット２２の可動により建設作業を行うものである。一方向に移動可能な可動部を有する建設機械としては、他にミニショベル、ブルド―ザ、ホィ―ルローダー等がある。
【００２８】  運転室は、フロントウィンドウとしてのウインドシールド５、右サイドウィンドウ２３、左サイドウィンドウ２４等の透明ウィンドウに取り囲まれている。運転室は、少なくとも、アーム２１の曲げ伸ばしを操作するための左操作レバー２５、及び、バケット２２の掘削・開放を操作するための右操作レバー２６等を運転席１周りに備える。
【００２９】  ウインドシールド５には、第一の投写範囲５Ａ、第二の投写範囲５Ｂ、第三の投写範囲５Ｃの３つの投写範囲が割り当てられており、これらの投写範囲は、重力方向（図２の上下方向）に並んで配置されている。これら３つの投写範囲を合わせた範囲５Ｄが、建設機械１００の投写面を構成する。
【００３０】  この３つの投写範囲のうち、重力方向において隣り合う２つの投写範囲の一方の投写範囲における重力方向の一端は、この２つの投写範囲の他方の投写範囲と重複している。
【００３１】  具体的には、重力方向において隣り合う第一の投写範囲５Ａと第二の投写範囲５Ｂに着目すると、第一の投写範囲５Ａにおける重力方向の下端は、第二の投写範囲５Ｂと重複しており、第二の投写範囲５Ｂにおける重力方向の上端は、第一の投写範囲５Ａと重複している。
【００３２】  また、重力方向において隣り合う第二の投写範囲５Ｂと第三の投写範囲５Ｃに着目すると、第二の投写範囲５Ｂにおける重力方向の下端は、第三の投写範囲５Ｃと重複しており、第三の投写範囲５Ｃにおける重力方向の上端は、第二の投写範囲５Ｂと重複している。
【００３３】  なお、図２の例では、３つの投写範囲のうちの隣り合う２つの投写範囲は重力方向において端部同士が重なるものとしているが、３つの投写範囲のうちの隣り合う２つの投写範囲の一方の投写範囲における重力方向の一端は、この２つの投写範囲の他方の投写範囲の重力方向の一端と接している構成としてもよい。
【００３４】  つまり、図２において、第一の投写範囲５Ａと第二の投写範囲５Ｂと第三の投写範囲５Ｃを重力方向に隙間なく並べた構成、言い換えると、第一の投写範囲５Ａの下端と第二の投写範囲５Ｂの上端を接触させ、第二の投写範囲５Ｂの下端と第三の投写範囲５Ｃの上端を接触させた構成としてもよい。
【００３５】  本明細書においては、一方向に並ぶ２つの投写範囲において、一方の投写範囲の一方向における他方の投写範囲側の一端（端縁）と、他方の投写範囲の一方向における一方の投写範囲側の一端（端縁）とが接触する構成を、この一方の投写範囲の一端がこの他方の投写範囲と重複しているものとして定義する。
【００３６】  第一の投写範囲５Ａは、ユニット２から投写された画像光が投写される範囲であり、この画像光を反射すると同時に、外部（外界）からの光を透過する。
【００３７】  第二の投写範囲５Ｂは、ユニット３から投写された画像光が投写される範囲であり、この画像光を反射すると同時に、外部（外界）からの光を透過する。
【００３８】  第三の投写範囲５Ｃは、ユニット４から投写された画像光が投写される範囲であり、この画像光を反射すると同時に、外部（外界）からの光を透過する。
【００３９】  図３は、図１に示すＨＵＤ１０を構成するユニット２の内部構成を示す模式図である。
【００４０】  ユニット２は、光源ユニット４０と、駆動部４５と、投写光学系４６と、拡散板４７と、反射ミラー４８と、拡大鏡４９と、光源ユニット４０及び駆動部４５を制御するシステム制御部６０と、物体位置検知部７０と、メイン制御部８０と、を備えている。
【００４１】  光源ユニット４０は、光源制御部４０Ａと、赤色光を出射する赤色光源であるＲ光源４１ｒと、緑色光を出射する緑色光源であるＧ光源４１ｇと、青色光を出射する青色光源であるＢ光源４１ｂと、ダイクロイックプリズム４３と、Ｒ光源４１ｒとダイクロイックプリズム４３の間に設けられたコリメータレンズ４２ｒと、Ｇ光源４１ｇとダイクロイックプリズム４３の間に設けられたコリメータレンズ４２ｇと、Ｂ光源４１ｂとダイクロイックプリズム４３の間に設けられたコリメータレンズ４２ｂと、光変調素子４４と、を備えている。
【００４２】  ダイクロイックプリズム４３は、Ｒ光源４１ｒ、Ｇ光源４１ｇ、及びＢ光源４１ｂの各々から出射される光を同一光路に導くための光学部材である。すなわち、ダイクロイックプリズム４３は、コリメータレンズ４２ｒによって平行光化された赤色光を透過させて光変調素子４４に出射する。また、ダイクロイックプリズム４３は、コリメータレンズ４２ｇによって平行光化された緑色光を反射させて光変調素子４４に出射する。さらに、ダイクロイックプリズム４３は、コリメータレンズ４２ｂによって平行光化された青色光を反射させて光変調素子４４に出射する。このような機能を持つ光学部材としては、ダイクロイックプリズムに限らない。例えば、クロスダイクロイックミラーを用いてもよい。
【００４３】  Ｒ光源４１ｒ、Ｇ光源４１ｇ、及びＢ光源４１ｂは、それぞれ、レーザ、ＬＥＤ（Ｌｉｇｈｔ  Ｅｍｉｔｔｉｎｇ  Ｄｉｏｄｅ）等の発光素子が用いられる。本実施形態では、光源ユニット４０の光源として、Ｒ光源４１ｒとＧ光源４１ｇとＢ光源４１ｂの３つの光源を含むものとしているが、光源の数は１つ、２つ、又は、４つ以上であってもよい。
【００４４】  光源制御部４０Ａは、Ｒ光源４１ｒ、Ｇ光源４１ｇ、及びＢ光源４１ｂの各々の発光量を予め決められた発光量パターンに設定し、この発光量パターンに従ってＲ光源４１ｒ、Ｇ光源４１ｇ、及びＢ光源４１ｂから光を順次出射させる制御を行う。
【００４５】  光変調素子４４は、ダイクロイックプリズム４３から出射された光を画像情報に基づいて空間変調し、画像情報である投写用画像データに応じた光（赤色画像光、青色画像光、及び緑色画像光）を投写光学系４６に出射する。
【００４６】  光変調素子４４としては、例えば、ＬＣＯＳ（Ｌｉｑｕｉｄ  ｃｒｙｓｔａｌ  ｏｎ  ｓｉｌｉｃｏｎ）、ＤＭＤ（Ｄｉｇｉｔａｌ  Ｍｉｃｒｏｍｉｒｒｏｒ  Ｄｅｖｉｃｅ）、ＭＥＭＳ（Ｍｉｃｒｏ  Ｅｌｅｃｔｒｏ  Ｍｅｃｈａｎｉｃａｌ  Ｓｙｓｔｅｍｓ）素子、及び液晶表示素子等を用いることができる。
【００４７】  駆動部４５は、システム制御部６０から入力される投写用画像データにしたがって光変調素子４４を駆動し、投写用画像データに応じた光（赤色画像光、青色画像光、及び緑色画像光）を投写光学系４６に出射させる。
【００４８】  投写光学系４６は、光源ユニット４０の光変調素子４４から出射された光を、拡散板４７に投写するための光学系である。この光学系は、レンズに限らず、スキャナを用いることもできる。例えば、走査型スキャナから出射された光を拡散板４７で拡散させて面光源化してもよい。
【００４９】  反射ミラー４８は、拡散板４７で拡散された光を拡大鏡４９側に反射させる。
【００５０】  拡大鏡４９は、反射ミラー４８で反射されてきた光に基づく像を拡大させてウインドシールド５の第一の投写範囲５Ａに投写する。
【００５１】  物体位置検知部７０は、図２の範囲５Ｄ前方の物体（図２の例では、建設機械１００の機体前方中央部にある第一の物体としてのバケット２２）の範囲５Ｄにおける位置を検知し、検知した物体の位置を示す情報をメイン制御部８０に出力する。
【００５２】  範囲５Ｄ前方の物体の検知方法は、例えば以下に示す第一の検知方法、第二の検知方法が挙げられるが、これらの方法に限らない。
【００５３】（第一の検知方法）  撮像素子を含む撮像部を建設機械１００に搭載しておき、建設機械１００の機体前方中央部にあるバケット２２の画像特徴情報を予め設定しておく。そして、撮像部により範囲５Ｄを撮像し、撮像により得られた撮像画像データに対してバケット２２の画像特徴情報によるマッチングを行って、範囲５Ｄにおけるバケット２２の位置を検知する。
【００５４】（第二の検知方法）  バケット２２の位置は、左操作レバー２５及び右操作レバー２６の操作信号によって一意に決まる。このため、物体位置検知部７０は、建設機械１００の左操作レバー２５及び右操作レバー２６を操作する操作信号に基づいて、範囲５Ｄにおけるバケット２２の位置を検知する。
【００５５】  システム制御部６０は、メイン制御部８０から画像光投写指令を受けると、投写用画像データに基づく画像光を第一の投写範囲５Ａに投写させ、画像光投写停止指令を受けると、光源ユニット４０を停止又はスタンバイ状態に制御して、画像光の第一の投写範囲５Ａへの投写を停止させる。
【００５６】  メイン制御部８０は、ＨＵＤ１０全体を統括制御するものであり、ユニット３とユニット４の各々と通信可能となっている。メイン制御部８０の詳しい機能は後述する。
【００５７】  図４は、図１に示すＨＵＤ１０を構成するユニット３の内部構成を示す模式図である。図４において図３と同じ構成要素には同一符号を付してある。
【００５８】  ユニット３は、図３に示したユニット２において物体位置検知部７０及びメイン制御部８０を削除し、システム制御部６０をシステム制御部６１に変更した構成である。
【００５９】  ユニット３のシステム制御部６１は、ユニット３内の駆動部４５及び光源制御部４０Ａを制御して、投写用画像データに基づく画像光を第二の投写範囲５Ｂに投写させる。
【００６０】  システム制御部６１は、ユニット２のメイン制御部８０と無線又は有線により通信可能となっており、メイン制御部８０から画像光投写指令を受けると、メイン制御部８０から受信した投写用画像データに基づく画像光を第二の投写範囲５Ｂに投写させる。システム制御部６１は、メイン制御部８０から画像光投写停止指令を受けると、光源ユニット４０を停止又はスタンバイ状態に制御して、画像光の第二の投写範囲５Ｂへの投写を停止させる。
【００６１】  図５は、図１に示すＨＵＤ１０を構成するユニット４の内部構成を示す模式図である。図５において図３と同じ構成要素には同一符号を付してある。
【００６２】  ユニット４は、図３に示したユニット２において物体位置検知部７０及びメイン制御部８０を削除し、システム制御部６０をシステム制御部６２に変更した構成である。
【００６３】  ユニット４のシステム制御部６２は、ユニット４内の駆動部４５及び光源制御部４０Ａを制御して、投写用画像データに基づく画像光を第三の投写範囲５Ｃに投写させる。
【００６４】  システム制御部６２は、ユニット２のメイン制御部８０と無線又は有線により通信可能となっており、メイン制御部８０から画像光投写指令を受けると、メイン制御部８０から受信した投写用画像データに基づく画像光を第三の投写範囲５Ｃに投写させる。システム制御部６２は、メイン制御部８０から画像光投写停止指令を受けると、光源ユニット４０を停止又はスタンバイ状態に制御して、画像光の第三の投写範囲５Ｃへの投写を停止させる。
【００６５】  ユニット２内の光源ユニット４０、投写光学系４６、拡散板４７、反射ミラー４８、及び、拡大鏡４９は、投写用画像データに基づく画像光を第一の投写範囲５Ａに投写する投写表示ユニットを構成する。
【００６６】  ユニット３内の光源ユニット４０、投写光学系４６、拡散板４７、反射ミラー４８、及び、拡大鏡４９は、投写用画像データに基づく画像光を第二の投写範囲５Ｂに投写する投写表示ユニットを構成する。
【００６７】  ユニット４内の光源ユニット４０、投写光学系４６、拡散板４７、反射ミラー４８、及び、拡大鏡４９は、投写用画像データに基づく画像光を第三の投写範囲５Ｃに投写する投写表示ユニットを構成する。
【００６８】  メイン制御部８０は、システム制御部６０、システム制御部６１、及びシステム制御部６２に送信する投写用画像データを生成する。この投写用画像データは、建設機械１００の操作者に対し、作業支援を行うためのアイコンや文字等の操作支援データを含むものである。
【００６９】  建設機械１００では、基本的には、操作者がバケット２２の近傍を見ながら作業を行う。したがって、操作者に提示すべき情報については、バケット２２の近傍に集中させるのが、目線の移動が少なくなり好ましい。
【００７０】  そこで、メイン制御部８０は、物体位置検知部７０により検知されたバケット２２の位置に基づき、バケット２２の周囲に、作業支援のためのアイコンや文字を表示させるための投写用画像データを生成する。
【００７１】  投写用画像データは、第一の投写範囲５Ａに対応する投写用画像データと、第二の投写範囲５Ｂに対応する投写用画像データと、第三の投写範囲５Ｃに対応する投写用画像データとに分けて生成される。
【００７２】  なお、第一の投写範囲５Ａと第二の投写範囲５Ｂとの重複範囲に対応するデータは、第一の投写範囲５Ａに対応する投写用画像データと、第二の投写範囲５Ｂに対応する投写用画像データとにそれぞれ同じものが含まれる。第二の投写範囲５Ｂと第三の投写範囲５Ｃとの重複範囲に対応するデータは、第二の投写範囲５Ｂに対応する投写用画像データと、第三の投写範囲５Ｃに対応する投写用画像データとにそれぞれ同じものが含まれる。
【００７３】  また、メイン制御部８０は、物体位置検知部７０により検知された範囲５Ｄ前方の物体（バケット２２）の範囲５Ｄにおける一方向（図２の上下方向）での位置に基づいて、３つの投写表示ユニットの各々を、画像光を投写させる第一の状態（以下では、投写オン状態という）と、画像光の投写を停止させる第二の状態（以下では、投写オフ状態という）とのいずれかの状態に制御する。メイン制御部８０はユニット制御部を構成する。
【００７４】  具体的には、メイン制御部８０は、３つの投写表示ユニットの各々による画像光の投写範囲のうちの任意の投写範囲である第一の投写範囲と、物体位置検知部７０により検知された物体の全体とが重なる状態において、第一の投写範囲における物体の一方向の位置に基づき、第一の制御と第二の制御のいずれかを選択的に行う。
【００７５】  第一の制御は、第一の投写範囲に画像光を投写する第一の投写表示ユニットを投写オン状態にし、第一の投写表示ユニット以外の投写表示ユニットを投写オフ状態にする制御である。
【００７６】  第二の制御は、第一の投写表示ユニット及び第一の投写範囲の隣の投写範囲に画像光を投写する第二の投写表示ユニットを投写オン状態にし、第一の投写表示ユニット及び第二の投写表示ユニット以外の投写ユニットを投写オフ状態にする制御である。
【００７７】  図６〜図８を参照して、メイン制御部８０が行う第一の制御と第二の制御の具体例を説明する。
【００７８】  図６は、ウインドシールド５に設定された範囲５Ｄの状態遷移を説明するための模式図である。
【００７９】  範囲５Ｄは、前述したように、隣り合う第一の投写範囲５Ａと第二の投写範囲５Ｂとの端部同士が重なっており、隣り合う第二の投写範囲５Ｂと第三の投写範囲５Ｃとの端部同士が重なっている。
【００８０】  図６において、第一の投写範囲５Ａと第二の投写範囲５Ｂとが重っている範囲及び第二の投写範囲５Ｂと第三の投写範囲５Ｃとが重なっている範囲を、それぞれ重複範囲ｄとしている。
【００８１】  第一の投写範囲５Ａと第二の投写範囲５Ｂとの重複範囲ｄは、第一の投写範囲５Ａにおける重力方向の下端から予め決められた距離までの範囲である。また、第一の投写範囲５Ａと第二の投写範囲５Ｂとの重複範囲ｄは、第二の投写範囲５Ｂにおける重力方向の上端から予め決められた距離までの範囲である。
【００８２】  第二の投写範囲５Ｂと第三の投写範囲５Ｃとの重複範囲ｄは、第二の投写範囲５Ｂにおける重力方向の下端から予め決められた距離までの範囲である。また、第二の投写範囲５Ｂと第三の投写範囲５Ｃとの重複範囲ｄは、第三の投写範囲５Ｃにおける重力方向の上端から予め決められた距離までの範囲である。第一の投写範囲５Ａ、第二の投写範囲５Ｂ、及び第三の投写範囲５Ｃのそれぞれの表示サイズが２５インチ（５５ｃｍ×３１ｃｍ）の場合、上記予め決められた距離は、例えば１ｃｍ〜１０ｃｍの範囲が望ましい。第一の投写範囲５Ａ、第二の投写範囲５Ｂ、及び第三の投写範囲５Ｃのそれぞれの表示サイズが２５インチより大きい場合または小さい場合は、その表示サイズの大小に応じて上記予め決められた距離も増減することが望ましい。
【００８３】  図６において、各投写範囲には、（投写オン）と（投写オフ）の表記がなされている。（投写オン）が記載された投写範囲は、この投写範囲に画像光を投写する投写表示ユニットが動作しており、画像光の投写が行われている状態を示す。（投写オフ）が記載された投写範囲は、この投写範囲に画像光を投写する投写表示ユニットが停止又はスタンバイ状態となっており、画像光の投写が停止されている状態を示す。
【００８４】  状態Ａ１において、物体位置検知部７０によりバケット２２の位置が検知されると、メイン制御部８０は、この位置に基づいて、第一の投写範囲５Ａにバケット２２全体が重なり、かつ、第一の投写範囲５Ａと第二の投写範囲５Ｂの重複範囲ｄ外にバケット２２があると判定する。そして、この状態では、メイン制御部８０は、ユニット２の投写表示ユニットを投写オン状態に制御し、ユニット３及びユニット４の各々の投写表示ユニットを投写オフ状態に制御する第一の制御を行う。
【００８５】  状態Ａ１からバケット２２が下方向に移動して状態Ａ２になると、メイン制御部８０は、物体位置検知部７０により検知されたバケット２２の位置に基づいて、第一の投写範囲５Ａにバケット２２全体が重なり、かつ、第一の投写範囲５Ａと第二の投写範囲５Ｂとの重複範囲ｄにバケット２２が重なっていると判定する。この状態では、メイン制御部８０は、ユニット２及びユニット３の各々の投写表示ユニットを投写オン状態に制御し、ユニット４の投写表示ユニットを投写オフ状態に制御する第二の制御を行う。
【００８６】  さらにバケット２２が下方向に移動して状態Ａ３になると、メイン制御部８０は、物体位置検知部７０により検知されたバケット２２の位置に基づいて、第二の投写範囲５Ｂにバケット２２全体が重なり、かつ、第一の投写範囲５Ａと第二の投写範囲５Ｂとの重複範囲ｄにバケット２２が重なると判定する。この状態では、メイン制御部８０は、ユニット２及びユニット３の各々の投写表示ユニットを投写オン状態に制御し、ユニット４の投写表示ユニットを投写オフ状態に制御する第二の制御を行う。
【００８７】  さらに、バケット２２が下方向に移動して状態Ａ４になると、メイン制御部８０は、物体位置検知部７０により検知されたバケット２２の位置に基づいて、第二の投写範囲５Ｂにバケット２２全体が重なり、かつ、第一の投写範囲５Ａと第二の投写範囲５Ｂの重複範囲ｄ及び第二の投写範囲５Ｂと第三の投写範囲５Ｃとの重複範囲ｄ外にバケット２２があると判定する。この状態では、メイン制御部８０は、ユニット３の投写表示ユニットを投写オン状態に制御し、ユニット２及びユニット４の各々の投写表示ユニットを投写オフ状態に制御する第一の制御を行う。
【００８８】  図７は、ウインドシールド５に設定された範囲５Ｄの状態遷移の別の例を説明するための模式図である。
【００８９】  図７における範囲５Ｄの構成は図６と同じであるが、図７では、第一の投写範囲５Ａにおいて、重力方向における下端ＬＡから予め決められた距離までの範囲を閾値範囲ｅ２としている。また、第二の投写範囲５Ｂにおいて、重力方向における上端ＬＢ１から予め決められた距離までの範囲を閾値範囲ｅ１としている。また、第二の投写範囲５Ｂにおいて、重力方向における下端ＬＢ２から予め決められた距離までの範囲を閾値範囲ｅ４としている。また、第三の投写範囲５Ｃにおいて、重力方向における上端ＬＣから予め決められた距離までの範囲を閾値範囲ｅ３としている。
【００９０】  図７における上記の予め決められた距離は全て同じ値としており、閾値範囲ｅ１と閾値範囲ｅ２を合わせた範囲は、第一の投写範囲５Ａと第二の投写範囲５Ｂの重複範囲と同じになっている。同様に、閾値範囲ｅ３と閾値範囲ｅ４を合わせた範囲は、第二の投写範囲５Ｂと第三の投写範囲５Ｃの重複範囲と同じになっている。
【００９１】  状態Ｂ１において、物体位置検知部７０によりバケット２２の位置が検知されると、メイン制御部８０は、この位置に基づいて、第一の投写範囲５Ａにバケット２２全体が重なり、かつ、第一の投写範囲５Ａにおける閾値範囲ｅ２外にバケット２２があると判定する。この状態では、メイン制御部８０は、ユニット２の投写表示ユニットを投写オン状態に制御し、ユニット３及びユニット４の各々の投写表示ユニットを投写オフ状態に制御する第一の制御を行う。
【００９２】  状態Ｂ１からバケット２２が下方向に移動して状態Ｂ２になると、メイン制御部８０は、物体位置検知部７０により検知されたバケット２２の位置に基づいて、第一の投写範囲５Ａにバケット２２全体が重なり、かつ、第一の投写範囲５Ａの閾値範囲ｅ２にバケット２２が重なっていると判定する。この状態では、メイン制御部８０は、ユニット２及びユニット３の各々の投写表示ユニットを投写オン状態に制御し、ユニット４の投写表示ユニットを投写オフ状態に制御する第二の制御を行う。
【００９３】  さらにバケット２２が下方向に移動して状態Ｂ３になると、メイン制御部８０は、物体位置検知部７０により検知されたバケット２２の位置に基づいて、第二の投写範囲５Ｂにバケット２２全体が重なり、かつ、第二の投写範囲５Ｂの閾値範囲ｅ１にバケット２２が重なると判定する。この状態では、メイン制御部８０は、ユニット２及びユニット３の各々の投写表示ユニットを投写オン状態に制御し、ユニット４の投写表示ユニットを投写オフ状態に制御する第二の制御を行う。
【００９４】  さらに、バケット２２が下方向に移動して状態Ｂ４になると、メイン制御部８０は、物体位置検知部７０により検知されたバケット２２の位置に基づいて、第二の投写範囲５Ｂにバケット２２全体が重なり、かつ、第二の投写範囲５Ｂの閾値範囲ｅ１及び閾値範囲ｅ４外にバケット２２があると判定する。この状態では、メイン制御部８０は、ユニット３の投写表示ユニットを投写オン状態に制御し、ユニット２及びユニット４の各々の投写表示ユニットを投写オフ状態に制御する第一の制御を行う。
【００９５】  図８は、ウインドシールド５に設定された範囲５Ｄの状態遷移の更に別の例を説明するための模式図である。図８では、第一の投写範囲５Ａの下端ＬＡと第二の投写範囲５Ｂの上端ＬＢ１が接触し、第二の投写範囲５Ｂの下端ＬＢ２と第三の投写範囲５Ｃの上端ＬＣが接触する例を示している。
【００９６】  また、図８では、第一の投写範囲５Ａにおいて、重力方向における下端ＬＡから予め決められた距離までの範囲を閾値範囲ｆ１としている。また、第二の投写範囲５Ｂにおいて、重力方向における上端ＬＢ１から予め決められた距離までの範囲を閾値範囲ｆ２としている。また、第二の投写範囲５Ｂにおいて、重力方向における下端ＬＢ２から予め決められた距離までの範囲を閾値範囲ｆ３としている。また、第三の投写範囲５Ｃにおいて、重力方向における上端ＬＣから予め決められた距離までの範囲を閾値範囲ｆ４としている。閾値範囲ｆ１〜ｆ４の重力方向での距離は全て同じとしている。
【００９７】  状態Ｃ１において、物体位置検知部７０によりバケット２２の位置が検知されると、メイン制御部８０は、この位置に基づいて、第一の投写範囲５Ａにバケット２２全体が重なり、かつ、第一の投写範囲５Ａにおける閾値範囲ｆ１外にバケット２２があると判定する。この状態では、メイン制御部８０は、ユニット２の投写表示ユニットを投写オン状態に制御し、ユニット３及びユニット４の各々の投写表示ユニットを投写オフ状態に制御する第一の制御を行う。
【００９８】  状態Ｃ１からバケット２２が下方向に移動して状態Ｃ２になると、メイン制御部８０は、物体位置検知部７０により検知されたバケット２２の位置に基づいて、第一の投写範囲５Ａにバケット２２全体が重なり、かつ、第一の投写範囲５Ａの閾値範囲ｆ１にバケット２２が重なっていると判定する。この状態では、メイン制御部８０は、ユニット２及びユニット３の各々の投写表示ユニットを投写オン状態に制御し、ユニット４の投写表示ユニットを投写オフ状態に制御する第二の制御を行う。
【００９９】  さらにバケット２２が下方向に移動して状態Ｃ３になると、メイン制御部８０は、物体位置検知部７０により検知されたバケット２２の位置に基づいて、第二の投写範囲５Ｂにバケット２２全体が重なり、かつ、第二の投写範囲５Ｂの閾値範囲ｆ２にバケット２２が重なると判定する。この状態では、メイン制御部８０は、ユニット２及びユニット３の各々の投写表示ユニットを投写オン状態に制御し、ユニット４の投写表示ユニットを投写オフ状態に制御する第二の制御を行う。
【０１００】  さらに、バケット２２が下方向に移動して状態Ｃ４になると、メイン制御部８０は、物体位置検知部７０により検知されたバケット２２の位置に基づいて、第二の投写範囲５Ｂにバケット２２全体が重なり、かつ、第二の投写範囲５Ｂの閾値範囲ｆ２及び閾値範囲ｆ３外にバケット２２があると判定する。この状態では、メイン制御部８０は、ユニット３の投写表示ユニットを投写オン状態に制御し、ユニット２及びユニット４の各々の投写表示ユニットを投写オフ状態に制御する第一の制御を行う。
【０１０１】  図６〜図８に示したように、メイン制御部８０は、バケット２２全体が任意の投写範囲に入っている状態では、この投写範囲に対応する投写表示ユニットだけを投写オン状態に制御するのではなく、この任意の投写範囲におけるバケット２２の位置によっては、この任意の投写範囲の隣の投写範囲に対応する投写表示ユニットも投写オン状態に制御する。
【０１０２】  例えば、図６の状態Ａ１のように、バケット２２が第一の投写範囲５Ａの下端からある程度離れている場合には、第一の投写範囲５Ａに対応する投写表示ユニットだけが動作するため、ＨＵＤ１０全体の消費電力を抑制することができる。
【０１０３】  一方、図６の状態Ａ２のように、バケット２２が第一の投写範囲５Ａの下端に近い位置にある場合には、第一の投写範囲５Ａに対応する投写表示ユニットだけでなく、第一の投写範囲５Ａの隣の第二の投写範囲５Ｂに対応する投写表示ユニットも動作する。
【０１０４】  図６の状態Ａ２において、バケット２２が更に下に移動し、バケット２２の下端が第一の投写範囲５Ａ外に出た時点で、第一の投写範囲５Ａの隣の第二の投写範囲５Ｂに対応する投写表示ユニットを動作させることも考えられる。
【０１０５】  しかし、この方法では、第二の投写範囲５Ｂに対応する投写表示ユニットが起動又はスタンバイ状態から復帰して画像光を投写するまでのタイムラグにより、バケット２２の周囲に表示される情報が一瞬乱れる可能性がある。例えば、バケット２２の下端付近にアイコンを表示させているとすると、このアイコンは、一瞬消えてから再度表示されることになる。
【０１０６】  ＨＵＤ１０によれば、バケット２２の下端が第一の投写範囲５Ａの下端よりも少し手前の位置に来た時点で、第二の投写範囲５Ｂに対応する投写表示ユニットが起動又はスタンバイ状態から復帰する。
【０１０７】  このため、例えば、バケット２２の下端付近にアイコンを表示させている場合には、このアイコンが、ユニット２から投写される画像光とユニット３から投写される画像光とのそれぞれによって表示されることとなる。また、バケット２２に追従してアイコンが更に下に移動していった場合でも、バケット２２の上端が重複範囲ｄに入っている間は第一の投写範囲５Ａに対応する投写表示ユニットが動作している。このため、バケット２２の上端付近にアイコンを表示させている場合でも、このアイコンを常時表示させておくことができ、作業支援を良好に行うことができる。
【０１０８】  このように、ＨＵＤ１０によれば、３つの投写表示ユニットの各々を必要なときにだけ動作させることで省エネを実現することができる。また、作業支援のための情報が見えなくなる状況を防いで作業支援を良好に行うことができる。
【０１０９】  また、ＨＵＤ１０によれば、３つの投写表示ユニットを用いて広範囲に渡って虚像を視認可能とすることができるため、半透明球面反射鏡を用いて１つの投写表示ユニットで広範囲にて虚像を視認可能にする構成と比較して、ＨＵＤ１０の製造コスト増大を防ぐことができる。
【０１１０】  また、ＨＵＤ１０によれば、ウインドシールド５の広範囲に画像光を投写させることができるため、操作対象となるバケット等の動きに合わせて操作者の縦方向における視線移動が大きくなっても、操作者に十分な作業支援を行うことができる。
【０１１１】  以上の説明では、ウインドシールド５に設定される投写範囲を３つとしたが、この投写範囲は複数であればよい。例えば、ＨＵＤ１０においてユニット４を削除した構成としてもよい。
【０１１２】  また、以上の説明では、ウインドシールド５に設定される複数の投写範囲を重力方向（縦方向）に並べるものとしたが、ウインドシールド５に設定される複数の投写範囲を重力方向と直交する方向（横方向）に並べてもよい。この場合、建設機械１００の運転室内には、各投写範囲に画像光を投写するユニットを横方向で離間して設ける構成とすればよい。
【０１１３】  また、以上の説明では、ユニット２内に物体位置検知部７０及びメイン制御部８０が設けられているが、物体位置検知部７０及びメイン制御部８０を含む制御ユニットを別体として有し、この制御ユニットが、ユニット２〜４のシステム制御部を統括制御する構成としてもよい。
【０１１４】  さらに、以上の説明では、ユニット２〜４がいずれも虚像を視認可能な条件で画像光を投写するものとしたが、ユニット２〜４の少なくとも１つが実像を視認可能な条件で画像光を投写するものとしてもよい。
【０１１５】  図９は、図１に示す建設機械１００の変形例である建設機械１００Ａの概略構成を示す模式図である。図９において図１と同じ構成には同一符号を付して説明を省略する。
【０１１６】  図９に示す建設機械１００Ａは、建設機械１００の構成に加えて、建設機械１００の操作者上方に撮像素子により被写体を撮像する撮像部１１０を備えている。また、ＨＵＤ１０がＨＵＤ１０Ａに変更されている。ＨＵＤ１０Ａは、ＨＵＤ１０においてユニット２をユニット２Ａに変更したものとなっている。
【０１１７】  撮像部１１０は、ウインドシールド５の範囲５Ｄを含む範囲を撮像する。撮像部１１０は、ＨＵＤ１０Ａを構成するユニット２Ａと無線又は有線により接続されており、被写体を撮像することで得られた撮像画像データをユニット２Ａに転送する。
【０１１８】  図１０は、図９に示す建設機械１００Ａに搭載されるＨＵＤ１０Ａのユニット２Ａの内部構成を示す模式図である。図１０において図３と同じ構成には同一符号を付してある。ユニット２Ａは、メイン制御部８０をメイン制御部８０Ａに変更し、物体位置検知部７０を物体位置検知部７０Ａに変更したものである。
【０１１９】  物体位置検知部７０Ａは、第一の物体として建設機械１００の可動部（バケット２２）の位置を検知し、第二の物体として、この可動部以外の物体（例えば人物や障害物等）の位置を検知する。
【０１２０】  物体位置検知部７０Ａは、撮像部１１０で撮像された撮像画像データを取得し、取得した撮像画像データに基づいて、公知の画像認識処理により、第一の物体の位置と第二の物体の位置を検知する。
【０１２１】  メイン制御部８０Ａは、ＨＵＤ１０のメイン制御部８０の機能に加え、次の機能を有する。すなわち、メイン制御部８０は、投写オフ状態に制御している投写表示ユニットによる画像光の投写範囲に第二の物体が入っていると判定した場合には、その投写表示ユニットを投写オン状態に制御する。
【０１２２】  次に、図１１を参照して、投写オフ状態に制御している投写表示ユニットによる画像光の投写範囲で第二の物体が検知された場合の処理例を説明する。
【０１２３】  図１１は、ＨＵＤ１０Ａによる範囲５Ｄの状態遷移の例を説明するための模式図である。
【０１２４】  範囲５Ｄは、図６と同じであり、隣り合う第一の投写範囲５Ａと第二の投写範囲５Ｂとの端部同士が重なっており、隣り合う第二の投写範囲５Ｂと第三の投写範囲５Ｃとの端部同士が重なっている。
【０１２５】  図１１において、第一の投写範囲５Ａと第二の投写範囲５Ｂとが重っている範囲及び第二の投写範囲５Ｂと第三の投写範囲５Ｃとが重なっている範囲を、それぞれ重複範囲ｄとしている。
【０１２６】  状態Ｄ１においては、バケット２２全体が第一の投写範囲５Ａにあり、かつ、バケット２２が重複範囲ｄ外にあるため、第一の投写範囲５Ａに対応する投写表示ユニットのみが投写オン状態に制御される。
【０１２７】  この状態Ｄ１から状態Ｄ２に遷移し、物体位置検知部７０Ａにより、バケット２２以外の物体２００が検知される。物体２００が検知されると、メイン制御部８０Ａは、物体２００の少なくとも一部が、投写オフ状態に制御している投写表示ユニットに対応する第二の投写範囲５Ｂと第三の投写範囲５Ｃのいずれかに入っているか否かを判定する。
【０１２８】  状態Ｄ２では、物体２００が第三の投写範囲５Ｃに入っているため、メイン制御部８０Ａは、物体２００の少なくとも一部が第三の投写範囲５Ｃに入っていると判定し、第三の投写範囲５Ｃに対応する投写表示ユニットを投写オン状態に制御する。また、メイン制御部８０Ａは、検知された物体２００の内容に応じて操作者に通知すべき情報（例えば物体２００が人物であれば、危険を警告するアイコン等）を含む投写用画像データを生成し、これをユニット４のシステム制御部６２に送信する。
【０１２９】  これにより、ユニット４からこの投写用画像データに基づく画像光が第三の投写範囲５Ｃに投写され、第三の投写範囲５Ｃの物体２００近傍にて、警告アイコン２１０が虚像として表示される（状態Ｄ３）。
【０１３０】  以上のように、ＨＵＤ１０Ａによれば、投写オフ状態に制御している投写表示ユニットであっても、この投写表示ユニットに対応する投写範囲に物体が検知された場合には、この投写表示ユニットを動作させることができる。このため、操作者は、バケット２２以外の人物や障害物等を容易に認識することができる。また、警告アイコン２１０によって物体による危険等を操作者に認識させることができ、省エネを図りながら、的確な作業支援が可能となる。
【０１３１】  以上説明してきたように、本明細書には以下の事項が開示されている。
【０１３２】  開示された投写型表示装置は、光源から出射される光を画像情報に基づいて空間変調し、空間変調された画像光を乗り物の投写面に投写可能な複数の投写表示ユニットを有する投写型表示装置であって、上記複数の投写表示ユニットの各々による画像光の投写範囲は一方向に並び、かつ、上記一方向において隣り合う２つの投写範囲の一方の投写範囲における上記一方向の一端は上記２つの投写範囲の他方の投写範囲と重複しており、上記投写面前方の物体の上記投写面における位置を検知する物体位置検知部と、上記複数の投写表示ユニットの各々について、上記画像光を投写させる第一の状態と上記画像光の投写を停止する第二の状態とのいずれかの状態に制御するユニット制御部と、を備え、上記ユニット制御部は、上記物体位置検知部により検知された第一の物体の上記一方向での位置に基づいて、上記複数の投写表示ユニットの各々を上記第一の状態と上記第二の状態のいずれかに制御するものである。
【０１３３】  開示された投写型表示装置は、上記ユニット制御部は、上記複数の投写表示ユニットの各々による画像光の投写範囲のうちの任意の投写範囲である第一の投写範囲と上記物体位置検知部により検知された第一の物体の全体とが重なる状態において、上記第一の投写範囲における上記第一の物体の上記一方向の位置に基づき、第一の制御と第二の制御のいずれかを選択的に行い、上記第一の制御は、上記第一の投写範囲に画像光を投写可能な第一の投写表示ユニットを上記第一の状態に制御し、上記第一の投写表示ユニット以外の投写表示ユニットを上記第二の状態に制御するものであり、上記第二の制御は、上記第一の投写表示ユニット及び上記第一の投写範囲の隣の投写範囲に画像光を投写可能な第二の投写表示ユニットを上記第一の状態に制御し、上記第一の投写表示ユニット及び上記第二の投写表示ユニット以外の投写表示ユニットを上記第二の状態に制御するものとすることができる。
【０１３４】  開示された投写型表示装置は、上記ユニット制御部は、上記第一の投写範囲における上記一方向の端から予め決められた距離までの範囲と上記第一の物体とが重なる場合には、上記第一の投写範囲の上記第一の物体に近い側隣にある投写範囲に画像光を投写可能な投写表示ユニットを上記第二の投写表示ユニットとして上記第二の制御を行い、上記第一の物体が上記範囲の外側にある場合には上記第一の制御を行うものとすることができる。
【０１３５】  開示された投写型表示装置は、上記一方向において隣り合う２つの投写範囲の一方の投写範囲における上記一方向の一端は上記２つの投写範囲の他方の投写範囲の上記一方向の一端と接しているものとすることができる。
【０１３６】  開示された投写型表示装置は、上記一方向において隣り合う２つの投写範囲は上記一方向において端部同士が重なっているものとすることができる。
【０１３７】  開示された投写型表示装置は、上記ユニット制御部は、上記物体位置検知部により上記第一の物体とは異なる第二の物体の位置が検知され、上記第二の状態に制御している投写表示ユニットによる画像光の投写範囲に上記第二の物体が入っている場合には、その投写表示ユニットを上記第一の状態に制御するものとすることができる。
【０１３８】  開示された投写型表示装置は、上記物体位置検知部は、撮像素子により上記投写面を撮像して得られる撮像画像データに基づいて物体の位置を検知するものとすることができる。
【０１３９】  開示された投写型表示装置は、上記一方向は重力方向であるものとすることができる。
【０１４０】  開示された投写型表示装置は、上記乗り物は建設機械とすることができる。
【０１４１】  上記建設機械は、上記一方向に移動可能な可動部により建設作業を行うものであり、開示された投写型表示装置の上記物体位置検知部は、上記第一の物体の位置として上記可動部の位置を検知するものとすることができる。
【０１４２】  開示された投写型表示装置は、上記可動部は、バケットであるものとすることができる。
【０１４３】  開示された投写制御方法は、光源から出射される光を画像情報に基づいて空間変調し、空間変調された画像光を乗り物の投写面に投写可能な複数の投写表示ユニットを用いた投写制御方法であって、上記複数の投写表示ユニットの各々による画像光の投写範囲は一方向に並び、かつ、上記一方向において隣り合う２つの投写範囲の一方の投写範囲における上記一方向の一端は上記２つの投写範囲の他方の投写範囲と重複しており、上記投写面前方の物体の上記投写面における位置を検知する物体位置検知ステップと、上記複数の投写表示ユニットの各々について、上記画像光を投写させる第一の状態と上記画像光の投写を停止する第二の状態とのいずれかの状態に制御するユニット制御ステップと、を備え、上記ユニット制御ステップでは、上記物体位置検知ステップにより検知された第一の物体の上記一方向での位置に基づいて、上記複数の投写表示ユニットの各々を上記第一の状態と上記第二の状態のいずれかに制御するものである。
【０１４４】  開示された投写制御方法は、上記ユニット制御ステップは、上記複数の投写表示ユニットの各々による画像光の投写範囲のうちの任意の投写範囲である第一の投写範囲と上記物体位置検知ステップにより検知された第一の物体の全体とが重なる状態において、上記第一の投写範囲における上記第一の物体の上記一方向の位置に基づき、第一の制御と第二の制御のいずれかを選択的に行い、上記第一の制御は、上記第一の投写範囲に画像光を投写可能な第一の投写表示ユニットを上記第一の状態に制御し、上記第一の投写表示ユニット以外の投写表示ユニットを上記第二の状態に制御するものであり、上記第二の制御は、上記第一の投写表示ユニット及び上記第一の投写範囲の隣の投写範囲のうちの一方の投写範囲に画像光を投写可能な第二の投写表示ユニットを上記第一の状態に制御し上記第一の投写表示ユニット及び上記第二の投写表示ユニット以外の投写表示ユニットを上記第二の状態に制御するものとすることができる。
【０１４５】  開示された投写制御方法は、上記ユニット制御ステップは、上記第一の投写範囲における上記一方向の端から予め決められた距離までの範囲と上記第一の物体とが重なる場合には、上記第一の投写範囲の上記第一の物体に近い側隣にある投写範囲に画像光を投写可能な投写表示ユニットを上記第二の投写表示ユニットとして上記第二の制御を行い、上記第一の物体が上記範囲の外側にある場合には上記第一の制御を行うものとすることができる。
【０１４６】  開示された投写制御方法は、上記一方向において隣り合う２つの投写範囲の一方の投写範囲における上記一方向の一端は上記２つの投写範囲の他方の投写範囲の上記一方向の一端と接しているものとすることができる。
【０１４７】  開示された投写制御方法は、上記一方向において隣り合う２つの投写範囲は上記一方向において端部同士が重なっているものとすることができる。
【０１４８】  開示された投写制御方法は、上記ユニット制御ステップは、上記物体位置検知ステップにより上記第一の物体とは異なる第二の物体の位置が検知され、上記第二の状態に制御している投写表示ユニットによる画像光の投写範囲に上記第二の物体が入っている場合には、その投写表示ユニットを上記第一の状態に制御するものとすることができる。
【０１４９】  開示された投写制御方法は、上記物体位置検知ステップは、撮像素子により上記投写面を撮像して得られる撮像画像データに基づいて物体の位置を検知するものとすることができる。
【０１５０】  開示された投写制御方法は、上記一方向は重力方向であるものとすることができる。
【０１５１】  開示された投写制御方法は、上記乗り物は建設機械であるものとすることができる。
【０１５２】  開示された投写制御方法は、上記建設機械は、上記一方向に移動可能な可動部により建設作業を行うものであり、上記物体位置検知ステップは、上記第一の物体の位置として上記可動部の位置を検知するものとすることができる。
【０１５３】  開示された投写制御方法は、上記可動部は、バケットであるものとすることができる。
【産業上の利用可能性】
【０１５４】  本発明は、特に、建設機械や農作機械等の作業用機械に適用して利便性が高く、有効である。
【符号の説明】
【０１５５】２，３，４  ユニット５  ウインドシールド１０，１０Ａ  ＨＵＤ４０  光源ユニット４５  駆動部６０，６１，６２  システム制御部７０  物体位置検知部８０  メイン制御部１００，１００Ａ  建設機械
【図１】
2017051655.tif 000003
【図２】
2017051655.tif 000004
【図３】
2017051655.tif 000005
【図４】
2017051655.tif 000006
【図５】
2017051655.tif 000007
【図６】
2017051655.tif 000008
【図７】
2017051655.tif 000009
【図８】
2017051655.tif 000010
【図９】
2017051655.tif 000011
【図１０】
2017051655.tif 000012
【図１１】
2017051655.tif 000013
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
光源から出射される光を画像情報に基づいて空間変調し、空間変調された画像光を乗り物の投写面に投写可能な複数の投写表示ユニットを有する投写型表示装置であって、
前記複数の投写表示ユニットの各々による画像光の投写範囲は一方向に並び、かつ、前記一方向において隣り合う２つの投写範囲の一方の投写範囲における前記一方向の一端は前記２つの投写範囲の他方の投写範囲と重複しており、
前記投写面前方の物体の前記投写面における位置を検知する物体位置検知部と、
前記複数の投写表示ユニットの各々について、前記画像光を投写させる第一の状態と前記画像光の投写を停止する第二の状態とのいずれかの状態に制御するユニット制御部と、を備え、
前記ユニット制御部は、前記物体位置検知部により検知された第一の物体の前記一方向での位置に基づいて、前記複数の投写表示ユニットの各々を前記第一の状態と前記第二の状態のいずれかに制御し、
更に、前記ユニット制御部は、前記複数の投写表示ユニットの各々による画像光の投写範囲のうちの任意の投写範囲である第一の投写範囲と前記物体位置検知部により検知された第一の物体の全体とが重なる状態において、前記第一の投写範囲における前記第一の物体の前記一方向の位置に基づき、第一の制御と第二の制御のいずれかを選択的に行い、
前記第一の制御は、前記第一の投写範囲に画像光を投写可能な第一の投写表示ユニットを前記第一の状態に制御し、前記第一の投写表示ユニット以外の投写表示ユニットを前記第二の状態に制御するものであり
前記第二の制御は、前記第一の投写表示ユニット及び前記第一の投写範囲の隣の投写範囲に画像光を投写可能な第二の投写表示ユニットを前記第一の状態に制御し、前記第一の投写表示ユニット及び前記第二の投写表示ユニット以外の投写表示ユニットを前記第二の状態に制御するものである投写型表示装置。
【請求項２】
請求項１記載の投写型表示装置であって、
前記ユニット制御部は、前記第一の投写範囲における前記一方向の端から予め決められた距離までの範囲と前記第一の物体とが重なる場合には、前記第一の投写範囲の前記第一の物体に近い側の隣にある投写範囲に画像光を投写可能な投写表示ユニットを前記第二の投写表示ユニットとして前記第二の制御を行い、前記第一の物体が前記範囲の外側にある場合には前記第一の制御を行う投写型表示装置。
【請求項３】
請求項１又は２記載の投写型表示装置であって、
前記一方向において隣り合う２つの投写範囲の一方の投写範囲における前記一方向の一端は前記２つの投写範囲の他方の投写範囲の前記一方向の一端と接している投写型表示装置。
【請求項４】
請求項１又は２記載の投写型表示装置であって、
前記一方向において隣り合う２つの投写範囲は前記一方向において端部同士が重なっている投写型表示装置。
【請求項５】
請求項１〜４のいずれか１項記載の投写型表示装置であって、
前記ユニット制御部は、前記物体位置検知部により前記第一の物体とは異なる第二の物体の位置が検知され、前記第二の状態に制御している投写表示ユニットによる画像光の投写範囲に前記第二の物体が入っている場合には、当該投写表示ユニットを前記第一の状態に制御する投写型表示装置。
【請求項６】
請求項５記載の投写型表示装置であって、
前記物体位置検知部は、撮像素子により前記投写面を撮像して得られる撮像画像データに基づいて物体の位置を検知する投写型表示装置。
【請求項７】
請求項１〜６のいずれか１項記載の投写型表示装置であって、
前記一方向は重力方向である投写型表示装置。
【請求項８】
請求項１〜７のいずれか１項記載の投写型表示装置であって、
前記乗り物は建設機械である投写型表示装置。
【請求項９】
請求項８記載の投写型表示装置であって、
前記建設機械は、前記一方向に移動可能な可動部により建設作業を行うものであり、
前記物体位置検知部は、前記第一の物体の位置として前記可動部の位置を検知する投写型表示装置。
【請求項１０】
請求項９記載の投写型表示装置であって、
前記可動部は、バケットである投写型表示装置。
【請求項１１】
光源から出射される光を画像情報に基づいて空間変調し、空間変調された画像光を乗り物の投写面に投写可能な複数の投写表示ユニットを用いた投写制御方法であって、
前記複数の投写表示ユニットの各々による画像光の投写範囲は一方向に並び、かつ、前記一方向において隣り合う２つの投写範囲の一方の投写範囲における前記一方向の一端は前記２つの投写範囲の他方の投写範囲と重複しており、
前記投写面前方の物体の前記投写面における位置を検知する物体位置検知ステップと、
前記複数の投写表示ユニットの各々について、前記画像光を投写させる第一の状態と前記画像光の投写を停止する第二の状態とのいずれかの状態に制御するユニット制御ステップと、を備え、
前記ユニット制御ステップでは、前記物体位置検知ステップにより検知された第一の物体の前記一方向での位置に基づいて、前記複数の投写表示ユニットの各々を前記第一の状態と前記第二の状態のいずれかに制御し、
更に、前記ユニット制御ステップは、前記複数の投写表示ユニットの各々による画像光の投写範囲のうちの任意の投写範囲である第一の投写範囲と前記物体位置検知ステップにより検知された第一の物体の全体とが重なる状態において、前記第一の投写範囲における前記第一の物体の前記一方向の位置に基づき、第一の制御と第二の制御のいずれかを選択的に行い、
前記第一の制御は、前記第一の投写範囲に画像光を投写可能な第一の投写表示ユニットを前記第一の状態に制御し、前記第一の投写表示ユニット以外の投写表示ユニットを前記第二の状態に制御するものであり、
前記第二の制御は、前記第一の投写表示ユニット及び前記第一の投写範囲の隣の投写範囲のうちの一方の投写範囲に画像光を投写可能な第二の投写表示ユニットを前記第一の状態に制御し前記第一の投写表示ユニット及び前記第二の投写表示ユニット以外の投写表示ユニットを前記第二の状態に制御するものである投写制御方法。
【請求項１２】
請求項１１記載の投写制御方法であって、
前記ユニット制御ステップは、前記第一の投写範囲における前記一方向の端から予め決められた距離までの範囲と前記第一の物体とが重なる場合には、前記第一の投写範囲の前記第一の物体に近い側隣にある投写範囲に画像光を投写可能な投写表示ユニットを前記第二の投写表示ユニットとして前記第二の制御を行い、前記第一の物体が前記範囲の外側にある場合には前記第一の制御を行う投写制御方法。
【請求項１３】
請求項１１又は１２記載の投写制御方法であって、
前記一方向において隣り合う２つの投写範囲の一方の投写範囲における前記一方向の一端は前記２つの投写範囲の他方の投写範囲の前記一方向の一端と接している投写制御方法。
【請求項１４】
請求項１１又は１２記載の投写制御方法であって、
前記一方向において隣り合う２つの投写範囲は前記一方向において端部同士が重なっている投写制御方法。
【請求項１５】
請求項１１〜１４のいずれか１項記載の投写制御方法であって、
前記ユニット制御ステップは、前記物体位置検知ステップにより前記第一の物体とは異なる第二の物体の位置が検知され、前記第二の状態に制御している投写表示ユニットによる画像光の投写範囲に前記第二の物体が入っている場合には、当該投写表示ユニットを前記第一の状態に制御する投写制御方法。
【請求項１６】
請求項１５記載の投写制御方法であって、
前記物体位置検知ステップは、撮像素子により前記投写面を撮像して得られる撮像画像データに基づいて物体の位置を検知する投写制御方法。
【請求項１７】
請求項１１〜１６のいずれか１項記載の投写制御方法であって、
前記一方向は重力方向である投写制御方法。
【請求項１８】
請求項１１〜１７のいずれか１項記載の投写制御方法であって、
前記乗り物は建設機械である投写制御方法。
【請求項１９】
請求項１８記載の投写制御方法であって、
前記建設機械は、前記一方向に移動可能な可動部により建設作業を行うものであり、
前記物体位置検知ステップは、前記第一の物体の位置として前記可動部の位置を検知する投写制御方法。
【請求項２０】
請求項１９記載の投写制御方法であって、
前記可動部は、バケットである投写制御方法。
【手続補正２】
【補正対象書類名】明細書
【補正対象項目名】００１５
【補正方法】変更
【補正の内容】
【００１５】
本発明の投写型表示装置は、光源から出射される光を画像情報に基づいて空間変調し、空間変調された画像光を乗り物の投写面に投写可能な複数の投写表示ユニットを有する投写型表示装置であって、上記複数の投写表示ユニットの各々による画像光の投写範囲は一方向に並び、かつ、上記一方向において隣り合う２つの投写範囲の一方の投写範囲における上記一方向の一端は上記２つの投写範囲の他方の投写範囲と重複しており、上記投写面前方の物体の上記投写面における位置を検知する物体位置検知部と、上記複数の投写表示ユニットの各々について、上記画像光を投写させる第一の状態と上記画像光の投写を停止する第二の状態とのいずれかの状態に制御するユニット制御部と、を備え、上記ユニット制御部は、上記物体位置検知部により検知された第一の物体の上記一方向での位置に基づいて、上記複数の投写表示ユニットの各々を上記第一の状態と上記第二の状態のいずれかに制御し、更に、上記ユニット制御部は、上記複数の投写表示ユニットの各々による画像光の投写範囲のうちの任意の投写範囲である第一の投写範囲と上記物体位置検知部により検知された第一の物体の全体とが重なる状態において、上記第一の投写範囲における上記第一の物体の上記一方向の位置に基づき、第一の制御と第二の制御のいずれかを選択的に行い、上記第一の制御は、上記第一の投写範囲に画像光を投写可能な第一の投写表示ユニットを上記第一の状態に制御し、上記第一の投写表示ユニット以外の投写表示ユニットを上記第二の状態に制御するものであり上記第二の制御は、上記第一の投写表示ユニット及び上記第一の投写範囲の隣の投写範囲に画像光を投写可能な第二の投写表示ユニットを上記第一の状態に制御し、上記第一の投写表示ユニット及び上記第二の投写表示ユニット以外の投写表示ユニットを上記第二の状態に制御するものである。
【手続補正３】
【補正対象書類名】明細書
【補正対象項目名】００１６
【補正方法】変更
【補正の内容】
【００１６】
本発明の投写制御方法は、光源から出射される光を画像情報に基づいて空間変調し、空間変調された画像光を乗り物の投写面に投写可能な複数の投写表示ユニットを用いた投写制御方法であって、上記複数の投写表示ユニットの各々による画像光の投写範囲は一方向に並び、かつ、上記一方向において隣り合う２つの投写範囲の一方の投写範囲における上記一方向の一端は上記２つの投写範囲の他方の投写範囲と重複しており、上記投写面前方の物体の上記投写面における位置を検知する物体位置検知ステップと、上記複数の投写表示ユニットの各々について、上記画像光を投写させる第一の状態と上記画像光の投写を停止する第二の状態とのいずれかの状態に制御するユニット制御ステップと、を備え、上記ユニット制御ステップでは、上記物体位置検知ステップにより検知された第一の物体の上記一方向での位置に基づいて、上記複数の投写表示ユニットの各々を上記第一の状態と上記第二の状態のいずれかに制御し、更に、上記ユニット制御ステップは、上記複数の投写表示ユニットの各々による画像光の投写範囲のうちの任意の投写範囲である第一の投写範囲と上記物体位置検知ステップにより検知された第一の物体の全体とが重なる状態において、上記第一の投写範囲における上記第一の物体の上記一方向の位置に基づき、第一の制御と第二の制御のいずれかを選択的に行い、上記第一の制御は、上記第一の投写範囲に画像光を投写可能な第一の投写表示ユニットを上記第一の状態に制御し、上記第一の投写表示ユニット以外の投写表示ユニットを上記第二の状態に制御するものであり、上記第二の制御は、上記第一の投写表示ユニット及び上記第一の投写範囲の隣の投写範囲のうちの一方の投写範囲に画像光を投写可能な第二の投写表示ユニットを上記第一の状態に制御し上記第一の投写表示ユニット及び上記第二の投写表示ユニット以外の投写表示ユニットを上記第二の状態に制御するものである。
【国際調査報告】
2017051655.tif 000014
2017051655.tif 000015
2017051655.tif 000016
2017051655.tif 000017